【手続補正書】
【提出日】平成16年9月14日(2004.9.14)
【手続補正１】
【補正対象書類名】明細書
【補正対象項目名】全文
【補正方法】変更
【補正の内容】
【書類名】明細書
【発明の名称】負荷制御システム
【特許請求の範囲】
【請求項１】主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含み、さらに後掲のインターホンに連動してインターホンの呼出音を警報音発生手段から発生するピークカット制御装置を備えた分電盤と；
呼出音を発生するとともにピークカット制御装置に連動して主幹ブレーカに流れる電流の状態および／または負荷機器への通電の状態を示す警報音を発生する呼出音発生手段を備えたインターホンと；
を具備していることを特徴とする負荷制御システム。
【請求項２】主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電状態を示す警報音を発生する警報音発生手段を含んでなるピークカット制御装置を備えた分電盤と；
呼出音を発生するとともにピークカット制御装置に連動して主幹ブレーカに流れる電流の状態および／または負荷機器への通電の状態を示す警報音を発生する呼出音発生手段を備えたインターホンと；
を具備していることを特徴とする負荷制御システム。
【請求項３】主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含み、さらに後掲のインターホンに連動してインターホンの呼出音を警報音発生手段から発生するピークカット制御装置を備えた分電盤と；
呼出音を発生する呼出音発生手段を備えたインターホンと；
を具備していることを特徴とする負荷制御システム。
【請求項４】主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含み、さらに後掲のインターホンに連動してインターホンの呼出音を警報音発生手段から発生する制御装置を備えた分電盤と；
呼出音を発生するとともに制御装置に連動して主幹ブレーカに流れる電流の状態および／または負荷機器への通電の状態を示す警報音を発生する呼出音発生手段を備えたインターホンと；
を具備していることを特徴とする負荷制御システム。
【請求項５】主幹ブレーカ、主幹ブレーカの負荷側に並列接続された複数の分岐ブレーカ、ならびに主幹ブレーカに流れる電流の状態および／または負荷機器への通電状態を示す警報音を発生する警報音発生手段を含んでなる制御装置を備えた分電盤と；
呼出音を発生するとともに制御装置に連動して主幹ブレーカに流れる電流の状態および／または負荷機器への通電の状態を示す警報音を発生する呼出音発生手段を備えたインターホンと；
を具備していることを特徴とする負荷制御システム。
【請求項６】主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含み、さらに後掲のインターホンに連動してインターホンの呼出音を警報音発生手段から発生する制御装置を備えた分電盤と；
呼出音を発生する呼出音発生手段を備えたインターホンと；
を具備していることを特徴とする負荷制御システム。
【発明の詳細な説明】
【０００１】
【発明の属する技術分野】
本発明は、ピークカット制御装置を備えた負荷制御システムに関する。
【０００２】
【従来の技術】
ピークカット制御装置を備えた負荷制御装置は、従来から知れらており、たとえば特開平８−２０５３７９号公報に記載されている。
【０００３】
上記従来技術は、所定の遮断特性を有する主幹ブレーカの負荷側に、複数の負荷機器が分岐ブレーカと開動作の優先順位が決められたスイッチを介して並列的に接続され、主幹ブレーカに所定レベルの電流が流れたとき、優先順位の早い順にスイッチを開成するものであって、主幹ブレーカに流れる電流を検出する電流検出手段と、開動作の優先順位が決められたスイッチからなる開閉手段と、電流検出手段の検出電流値に基づき優先順位の早い順にスイッチに開成信号を出力する制御手段と、を有する負荷制御装置において、前記制御手段に、電流検出手段の検出電流値が略所定レベル以上のときに出力信号を出力する音声制御部を設けるとともに、該音声制御部の出力信号に基づき主幹ブレーカに流れる電流の状態および／または負荷機器への通電状態を音声にて出力する音声出力手段を設けたことを特徴としている。
【０００４】
そうして、この従来技術によれば、主幹ブレーカに流れる電流の状態および／または負荷機器への通電状態を音声により警報音出力するように構成したことにより、発光表示やブザーなどの発音表示に比べて認識しやすくなる。
【０００５】
従来技術の警報音発生手段は、ピークカット制御装置の一構成要素であり、ピークカット制御装置は分電盤内に収納されている。
【０００６】
したがって、ピークカット制御に関連して発生する音声による警報音は、分電盤から発生することになる。
【発明が解決しようとする課題】
ところが、一般に分電盤は、住宅内の場合、キッチンや洗面所など比較的目立たなくて、しかも短時間しか人がいないような場所に設置されることが多い。
【０００７】
これに対して、日常、人が多くの時間居る場所はリビングルームや個室などである。また、このような場所にはインターホンを設置していて、来訪者や個室間またはリビングルーム・個室間など部屋間の通話をしやすくしているのが一般的である。
【０００８】
このため、ピークカット制御装置からの音声出力が家人に認識されにくいという問題がある。
【０００９】
反対に、キッチンや洗面所などの分電盤を設置している場所に人が居るときには、来訪者や部屋間のインターホンの呼出が認識されにくいという問題がある。
【００１０】
このような問題を回避するには、外部接続スピーカや増設呼出スピーカを付設する必要があり、コストアップになる。
【００１１】
本発明は、分電盤から離れた部屋に居てもピークカット制御装置からの警報音を認識しやすいとともに、分電盤の設置場所に居てもインターホンの呼出を認識しやすい負荷制御システムを提
また、本発明は、分電盤を設置していない場所に居てもピークカット制御装置からの警報音を認識しやすい負荷制御システムを提供することをさらに他の目的としている。
【００１２】
さらに、本発明は、分電盤の設置場所に居てもインターホンの呼出を認識しやすい負荷制御システムを提供することを他の目的としている。
【００１３】
【課題を達成するための手段】
請求項１の発明の負荷制御システムは、主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含み、さらに後掲のインターホンに連動してインターホンの呼出音を警報音発生手段から発生するピークカット制御装置を備えた分電盤と；呼出音を発生するとともにピークカット制御装置に連動して主幹ブレーカに流れる電流の状態および／または負荷機器への通電の状態を示す警報音を発生する呼出音発生手段を備えたインターホンと；を具備していることを特徴としている。
【００１４】
本発明および以下の各発明において、特に指定しない限り用語の定義および技術的意味は次による。
【００１５】
（分電盤について）
ピークカット制御装置は、上記の構成を実現するために、主幹ブレーカを流れる電流が所定レベル以上か否かを判定する機能、所定値を設定する機能、警報音発生手段を作用させる機能、負荷機器を開放する優先順位を設定する機能、負荷機器主幹ブレーカを流れる電流が所定レベル以上のときに優先順位にしたがって負荷機器を開放する機能を少なくとも備えている。
【００１６】
さらに要すれば、ピークカット制御装置は、主幹ブレーカを流れる電流が定格電流に対して予め設定しておくことのできる復帰電流以下の状態が所定時間以上継続したときに、いったん開放した負荷機器を再び閉成して復帰させ、さらにその後も復帰電流以下の場合には所定時間ごとに順次負荷機器を所定の優先順位にしたがって復帰させていく機能を備えることもできる。この場合、復帰の順位を開放時の順位と逆にするのが一般的であるが、必要なら異なる順位にすることもできる。なお、以上の各機能を実行させるために、マイコンを主体とするデマンド制御部を用いると好都合である。以上の制御動作において、「所定時間」とは一定の同一時間である必要はなく、それぞれの局面で最適な、または所望のそれぞれ異なる時間を設定することを許容する。
【００１７】
負荷機器の開放は、分岐ブレーカの負荷側に直列に接続したリレー接点によって行う構成や、負荷機器を直接遠隔制御して行う構成などを用いることができ、その具体的な構成は問わない。なお、リレー接点により負荷機器を開放する構成の場合、いったんリレー接点が開放すると、負荷機器がオフするが、電子制御式の電源スイッチを備えている負荷機器では再びリレー接点を閉成しても、負荷機器は復帰しない構成のものが多いので、負荷機器の電源スイッチを手動でオンする必要がある。
【００１８】
これに対して、負荷機器を直接遠隔制御によって開放させる構成の場合は、自動的に復帰させることができる。
【００１９】
警報音としては、主幹ブレーカに流れる電流の状態および／または負荷機器への通電の状態などを表示する。たとえば、主幹ブレーカを流れる電流が所定値を超えてから所定時間間隔ごとに警報音を所定時間の間発生したり、電流の所定値を複数の範囲に分割してその範囲に応じて異なる時間間隔を設定して警報音を発生するようにすることができる。
【００２０】
警報音発生手段は、音声、チャイムまたはブザーなど音による警報であれば、どのような構成であってもよい。
【００２１】
また、音声により警報音を発生するように構成する場合には、定格電流および負荷機器の優先順位などを設定する際に、音声ガイド機能を付加することが容易であるとともに、このように構成すれば、使い勝手が著しく向上するので好ましい。
【００２２】
主幹ブレーカに流れる電流は、常法にしたがい主幹ブレーカの線路に電流変成器を挿入することにより検出することができる。しかし、通流する電流を検出する手段については、アナログ式およびディジタル式にわたり種々あるとともに、本発明の本質と関係ないので、特段限定されない。
【００２３】
また、住宅用の分電盤の場合、単相２線配線および単相３線配線があるが、後者においては中性線を共通にして各相のベクトル合成和電流を検出してもよいし、いずれか大きい方の相の電流を検出してもよい。
【００２４】
さらに、ピークカット制御装置に主幹ブレーカを流れている電流の値を絶対値または設定値に対する相対値の形式で、メーターまたは発光により表示するように構成することができる。
【００２５】
（インターホンについて）
インターホンは、私設通信設備の一種であり、呼出機能および通話機能を中心として、さらにテレビジョン機能、セキュリティ機能などが付加されるものがある。そして、各部屋間、玄関・室内間などの間での通話を行うことができる。
【００２６】
インターホンを通話網から分類すると、親子式、相互式およびこれらの複合式がある。また、通話方式から分類すると、交互通話、電話形同時通話、子機拡声形同時通話および自動交互通話がある。さらに、通話路から分類すると、秘話式および共通通話路式がある。なお、秘話式には全通話路および３通話路がある。本発明は、以上のいずれの方式に適応するものである。
【００２７】
（分電盤とインターホンの連係について）
インターホンの呼出音を分電盤のピークカット制御装置の警報音発生手段から発生させるには、呼出音信号をピークカット制御装置へ伝送する伝送路を用意する。このための伝送路には、赤外線、電波、超音波などの空間を伝播する伝送手段を用いることが許容されるが、一般的にはインターホンと分電盤との間に呼出音信号用の２線の線路を敷設するのが簡便である。そして、ピークカット制御装置には、警報音信号および呼出音信号のいずれをも警報音発生手段から発音するように、たとえばミキシング回路を警報音発生手段の信号入力端の前段に介在させることができる。
【００２８】
また、分電盤のピークカット制御装置の警報音をインターホンの呼出音発生手段から発生させるには、同様に警報音信号をインターホンへ伝送する伝送路を用意する。このための伝送路には、赤外線、電波、超音波などの空間を伝播する伝送手段を用いることが許容されるが、一般的には警報音信号用の２線の線路を敷設するのが簡便である。そして、インターホンには、呼出音信号および警報音信号のいずれをも呼出音発生手段から発音するように、たとえばミキシング回路を呼出音発生手段の信号入力端の前段に介在させることができる。
【００２９】
（本発明の作用について）
分電盤のピークカット制御装置による主幹ブレーカに流れる電流の状態および／または負荷機器への通電の状態などの警報音は、分電盤の警報音発生手段から発生すると同時に、インターホンの呼出音発生手段からも発生するので、ピークカット制御の警報音に対する人の認識率が著しく向上する。
【００３０】
また、生活空間の中心部付近に居てもピークカット制御装置からの警報音を認識することができる。
【００３１】
さらに、インターホンの呼出音は、インターホンの呼出音発生手段から発生すると同時に分電盤のピークカット制御装置の警報音発生手段からも発生するので、呼出音に対する人の認識率が著しく向上する。
【００３２】
なぜなら、一般に分電盤はキッチンや洗面所など目立たない場所に設置されるのに対して、インターホンはリビングルームや個室内など生活の中心に設置されることが多いとともに、人がこれら両設置場所のいずれかに居る時間の割合がすこぶる高いからである。
【００３３】
しかも、本発明においては、ピークカット制御の警報音およびインターホンの呼出音のいずれに対しても、それぞれの本来の音発生手段を他の音の発生に兼用するので、外部接続スピーカや増設呼出スピーカを用いる必要がなく、このため装置が大形化し、また高価になるのを回避することができる。
【００３４】
請求項２の発明の負荷制御システムは、主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含んでなるピークカット制御装置を備えた分電盤と；呼出音を発生するとともにピークカット制御装置に連動して主幹ブレーカに流れる電流の状態および／または負荷機器への通電の状態を示す警報音を発生する呼出音発生手段を備えたインターホンと；を具備していることを特徴としている。
【００３５】
本発明は、ピークカット制御装置の警報音を分電盤の警報音発生手段から発生させると同時に、インターホンの呼出音発生手段からも発生させるように構成している。
【００３６】
このため、ピークカット制御装置からの警報音を人が認識する確率が著しく向上する。
【００３７】
また、生活空間の中心部付近に居てもピークカット制御装置からの警報音を認識することができる。
【００３８】
さらに、外部接続スピーカを付加する必要がないから、装置の大形化、コストアップを回避することができる。
【００３９】
請求項３の発明の負荷制御システムは、主幹ブレーカ、主幹ブレーカの負荷側に並列接続された複数の分岐ブレーカ、ならびに主幹ブレーカに所定レベル以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含み、さらに後掲のインターホンに連動してインターホンの呼出音を警報音発生手段から発生するピークカット制御装置を備えた分電盤と；呼出音を発生する呼出音発生手段を備えたインターホンと；を具備していることを特徴としている。
【００４０】
本発明は、インターホンの呼出音をインターホンの呼出音発生手段から発生させると同時に分電盤のピークカット制御装置の警報音発生手段からも発生させるように構成している。
【００４１】
このため、人がインターホンの呼出音を認識する確率が著しく向上する。
【００４２】
また、増設呼出スピーカを付設する必要がないから、装置の大形化およびコストアップを回避することができる。
【００４３】
請求項４の発明の負荷制御システムは、主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含み、さらに後掲のインターホンに連動してインターホンの呼出音を警報音発生手段から発生する制御装置を備えた分電盤と；呼出音を発生するとともに制御装置に連動して主幹ブレーカに流れる電流の状態および／または負荷機器への通電の状態を示す警報音を発生する呼出音発生手段を備えたインターホンと；を具備していることを特徴としている。
【００４４】
分電盤の制御装置による主幹ブレーカに流れる電流の状態および／または負荷機器への通電の状態などの警報音は、分電盤の警報音発生手段から発生するととともに、インターホンの呼出音発生手段からも発生する。
【００４５】
インターホンの呼出音は、分電盤の制御装置に含まれている警報音発生手段からも発生する。
【００４６】
請求項５の発明の負荷制御システムは、主幹ブレーカ、主幹ブレーカの負荷側に並列接続された複数の分岐ブレーカ、ならびに主幹ブレーカに流れる電流の状態および／または負荷機器への通電状態を示す警報音を発生する警報音発生手段を含んでなる制御装置を備えた分電盤と；呼出音を発生するとともに制御装置に連動して主幹ブレーカに流れる電流の状態および／または負荷機器への通電の状態を示す警報音を発生する呼出音発生手段を備えたインターホンと；を具備していることを特徴としている。
【００４７】
分電盤の制御装置による主幹ブレーカに流れる電流の状態および／または負荷機器への通電の状態などの警報音は、分電盤の警報音発生手段から発生すると同時に、インターホンの呼出音発生手段からも発生する。
【００４８】
請求項６の発明の負荷制御システムは、主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含み、さらに後掲のインターホンに連動してインターホンの呼出音を警報音発生手段から発生する制御装置を備えた分電盤と；呼出音を発生する呼出音発生手段を備えたインターホンと；を具備していることを特徴としている。
【００４９】
分電盤は、その主幹ブレーカに流れる電流の状態および／または負荷機器への通電の状態などの警報音を警報音発生手段から発生するととともに、インターホンの呼出音も発生する。
【００５０】
【発明の実施の形態】
以下、本発明の実施の形態を図面を参照して説明する。
【００５１】
図１は、本発明の負荷制御システムの第１の実施形態において主として分電盤の分電機能を省略して示す回路ブロック図である。
【００５２】
図２は、同じく分電盤の配置図である。
【００５３】
図３は、同じく分電盤の内部結線図である。
【００５４】
図４は、同じくインターホン親機の正面図である。
【００５５】
図５は、同じくインターホン親機の側面図である。
【００５６】
図６は、同じくインターホン副親機の正面図である。
【００５７】
図７は、同じくインターホン副親機の側面図である。
【００５８】
各図において、Ｄは分電盤、ＩＰはインターホン親機、ＩＤはドアホン子機、ＩＳは副親機、ＳＬは伝送路、ＳＯは外部接続スピーカ、ＳＡは増設呼出スピーカである。
【００５９】
＜分電盤について＞
分電盤Ｄは、図２および図３に示すように、分電盤本体ＤＫ、主幹ブレーカＢＥ、複数の分岐ブレーカＢおよびピークカット制御装置ＰＣを主体として構成されている。
【００６０】
分電盤本体ＤＫは、主幹ブレーカＢＥ、複数の分岐ブレーカＢおよびピークカット制御装置ＰＣを収納しており、表面にそれらの操作部および表示部などを配設している。また、分電盤本体ＤＫは、合成樹脂または金属から形成されており、操作部および表示部が露出したままで用いるものと、前面扉を備えているものとがあり、適宜選択して採用し得るように商品ラインアップされる。
【００６１】
また、分電盤本体ＤＫは、主幹ブレーカＢＥの前段にリミッタスペースＬＳを備えているが、備えていないものが商品ラインアップされる。
【００６２】
主幹ブレーカＢＥは、中性線欠相保護付漏電ブレーカからなり、単相３線配線構成となっている。
【００６３】
分岐ブレーカＢは、主幹ブレーカの定格電流に応じて適当な数（図２および図３においては１０個）に設定されていて、殆どは中性線とＬ１相およびＬ２相のいずれかの相との間に接続されて１００Ｖ電圧の分岐回路を形成するが、残余の分岐ブレーカはＬ１相とＬ２相との間に接続されて２００Ｖ電圧の負荷回路を形成することが可能に構成されている。
【００６４】
次に、ピークカット制御装置について説明する。
【００６５】
ピークカット制御装置ＰＣは、図１に示すように、電流検出手段ＣＴ、デマンド制御部ＤＣ、リレーＲＹ、リレー端子ｔＲＹ、直接制御端子ｔＨＡ、警報音発生手段ＡＧおよび伝送路接続端子ｔ１、ｔ２、ｔＧなどによって構成され、その主要部は図３に示すように、合成樹脂製のケースＫ内に収納されている。
【００６６】
また、ケースＫの表面には、操作部ＯＰ、使用電流値表示部ＵＣＤおよび警報音などの放音部ＶＲが配設されている。
【００６７】
操作部ＯＰは、最上段に配置されている「ＨＡ制御１」ないし「ＨＡ制御４」が直接制御する負荷機器を指定する押しボタン、上から第２段に配置されている「リレー１」ないし「リレー３」がリレーを介して制御される負荷機器を指定する押しボタンで、その優先順位を指定するためのものである。また、上から第３段に配置されている「電流値」が電流値の設定を行う押しボタン、「順位」が負荷機器開放の順位を設定する押しボタン、「確認」が設定を確認する押しボタン、「決定」がそれぞれの操作を確定させる押しボタンである。さらに、最下段に配置されている「ＡＬＬ  ＯＮ」がピークカット制御対象の全負荷機器を主幹ブレーカＢＥに接続する押しボタン、「ＡＬＬ  ＯＦＦ」が反対にピークカット制御対象の全負荷機器を主幹ブレーカＢＥから開放する押しボタン、「音量」の下の摘みが警報音発生手段であるスピーカＳＰの音量を「切」、「中」および「大」に切り換えるスイッチ付可変抵抗器の操作部である。
【００６８】
使用電流値表示部ＵＣＤは、複数の発光ダイオードを横方向に配列してなり、設定電流値に対して２０〜１２０％の範囲を９段階に表示できるように構成されている。
【００６９】
放音部ＶＲは、ケースＫの内部に収納されている後述する警報音発生手段の一部を構成しているスピーカＳＰに対向する位置に形成した孔隙によって構成されている。
【００７０】
ピークカット制御の対象にすることができる分岐ブレーカＢは、直接制御の「ＨＡ制御１」ないし「ＨＡ制御４」が４個、リレーによる制御の「リレー制御１」ないし「リレー制御３」が３個、合計７個である。なお、直接制御は、ＪＥＭＡ−ＨＡ方式による４芯制御線によって負荷機器に直接接続するので、特定の分岐ブレーカＢであることを必要としない。
【００７１】
電流検出手段ＣＴは、相Ｌ１および中性線の間に流れる電流を検出する第１の電流検出手段ＣＴ１と、同様に相Ｌ２および中性線の間に流れる電流を検出する第２の電流検出手段ＣＴ２と、電流検出回路ＣＴＣとからなる。電流検出回路ＣＴＣは、第１および第２の電流検出手段ＣＴ１、ＣＴ２の合成和電流を使用電流値として検出するように構成されている。
【００７２】
デマンド制御部ＤＣは、マイコンを主体として構成されていて、操作部ＯＰからの設定および電流検出手段ＣＴからの出力に応じて予め設定されたプログラムにしたがって演算を行い、その結果に応じてリレーＲＹおよび直接制御端子ｔＨＡに所定の制御出力を送出するとともに、警報音信号を音声合成回路ＶＳに送出し、使用電流値を使用電流値表示部ＵＣＤに表示する。
【００７３】
リレーＲＹは、制御出力に応じて動作してリレー端子ｔＲＹをオン、オフする。リレー端子ｔＲＹは、所定の分岐ブレーカＢと負荷機器との間に直列に接続される。
【００７４】
直接制御端子ｔＨＡには、ＪＥＭＡ−ＨＡ方式の制御信号が送出され、この端子に４芯制御線を介して接続されている空気調和装置などの負荷機器を直接制御する。
【００７５】
警報音発生手段ＡＧは、音声合成回路ＶＳ、ミキサーＭＸ、電力増幅器ＰＡおよびスピーカＳＰから構成されている。
【００７６】
音声合成回路ＶＳは、デマンド制御部ＤＣから送出される警報音信号に応じて該当する音声を合成して出力する。
【００７７】
ミキサーＭＸは、音声合成回路ＶＳから出力される警報音声信号および後述するインターホン親機ＩＰから送出される呼出音信号をミキシングして電力増幅器ＰＡに信号入力させるように作用する。
【００７８】
電力増幅器ＰＡは、警報音信号および呼出音信号を拡声するのに必要な電力まで電力増幅して、スピーカＳＰ、外部接続スピーカＳＯおよび後述するインターホン親機ＩＰに供給する。
【００７９】
スピーカＳＰは、電力増幅器ＰＡから出力された警報音信号電流によって警報音をピークカット制御装置ＰＣの放音部ＶＲから放音する。
【００８０】
＜インターホン親機ＩＰについて＞
インターホン親機ＩＰは、図１、図４および図５に示すように、親機本体ＩＰａおよびハンドセットＩＰｂからなる。
【００８１】
親機本体ＩＰａは、ドアホン子機接続端子ｔＤ、伝送線接続端子ｔ１、ｔ２、ｔＧ、送り端子Ｒ、Ｔ、Ｃ、Ｇ、ドアホン呼出検出回路ＤＣＤ、呼出音発生回路ＣＧ、ミキサーＭＸ、呼出用増幅器ＣＡ、通話回路ＣＣ、ドアホン通話回路ＤＣＣおよび室内呼出検出回路ＲＣＤを備えている。
【００８２】
後述するドアホン子機ＩＤから呼出があると、ドアホン呼出検出回路ＤＣＤがこれを検出して、呼出音発生回路ＣＧに制御入力する。
【００８３】
呼出音発生回路ＣＧは、呼出音信号を発生する。
【００８４】
呼出音信号は、ミキサーＭＸを介して呼出用増幅器ＣＡにより増幅されてからハンドセットＩＰｂに送出される。呼出用増幅器ＣＡは、ドアホン呼出検出信号があるときに電源を印加されて増幅動作を行う。
【００８５】
ハンドセットＩＰｂは、親機本体ＩＰａに着脱自在に接続していて、かつスピーカおよびマイクロホンを内蔵していて、ドアホン子機ＩＤまたは副親機ＩＳとの間で送受話を行えるとともに、呼出音信号がスピーカに送出された際に、呼出音を拡声するように構成されている。
【００８６】
したがって、親機本体ＩＰａの呼出音発生回路ＣＧ、呼出用増幅器ＣＡおよびハンドセットＩＰｂのスピーカは、呼出音発生手段ＣＳＧを構成している。
【００８７】
＜ドアホン子機ＩＤについて＞
ドアホン子機ＩＤは、親機本体ＩＰａのドアホン子機接続端子ｔＤに接続され、拡声用スピーカおよびマイクロホンを内蔵し、呼出用押しボタンＰを備えている。
【００８８】
したがって、呼出用押しボタンＰを押圧すると、インターホン親機ＩＰのドアホン呼出検出回路ＤＣＤがそれを検出する。
【００８９】
インターホン親機ＩＰのハンドセットＩＰｂを親機本体ＩＰａから取り外すと、ドアホン子機ＩＤとの間で通話回路ＣＣおよびドアホン通話回路ＤＣＣを介して通話を行うことができる。
【００９０】
＜副親機ＩＳについて＞
副親機ＩＳは、インターホン親機ＩＰの親機本体ＩＰａの送り端子Ｒ、Ｔ、Ｃ、Ｇに接続されている。なお、送り端子Ｒは受話線、Ｔは送話線、Ｃは呼出線、Ｇは共通線である。
【００９１】
また、さらに順次同様に送り配線することによって複数の副親機を並列的に接続することができる。
【００９２】
そうして、ドアホン子機ＩＤからの呼出音は、インターホン親機ＩＰおよび副親機ＩＳのいずれにおいても出力される。
【００９３】
また、インターホン親機ＩＰおよび副親機ＩＳの間での通話も可能である。
【００９４】
＜伝送路ＳＬについて＞
伝送路ＳＬは、ピークカット制御装置ＰＣの警報音信号伝送用の第１の伝送路ＳＬ１、インターホンの呼出音用の第２の伝送路ＳＬ２およびこれら伝送路に対する共通線ＳＬＧから構成されている。そして、伝送路ＳＬは、分電盤Ｄのピークカット制御装置ＰＣおよびインターホン親機ＩＰの親機本体ＩＰａのそれぞれの伝送路接続端子ｔ１およびｔ１間、ｔ２およびｔ２間、ならびにｔＧおよびｔＧ間に、それぞれ接続されている。
【００９５】
そうして、第１の伝送路ＳＬ１および共通線ＳＬＧ間には、ピークカット制御装置ＰＣの電力増幅器ＰＡの増幅出力信号が送出されてインターホン親機ＩＰのミキサーＭＸに伝送され、さらにインターホン親機ＩＰ内で呼出用増幅器ＣＡに入力され、増幅されてハンドセットＩＰｂのスピーカから拡声される。
【００９６】
また、第２の伝送路ＳＬ２および共通線ＳＬＧ間には、インターホン親機ＩＰのドアホン呼出検出回路ＤＣＤの出力があるときに、呼出用増幅器ＣＡの出力が送出されてピークカット制御装置ＰＣのミキサーＭＸに伝送され、さらに電力増幅器ＰＡに入力され、増幅されてスピーカＳＰから拡声される。
【００９７】
＜その他の構成について＞
外部接続スピーカＳＯは、ピークカット制御装置ＰＣの警報音をインターホン設置場所以外の所でも認識しやすくしたい場合に配設されるもので、必須ではない。
【００９８】
同様に増設呼出スピーカＳＡは、ドアホン子機ＩＤの呼出音を分電盤Ｄの設置場所以外の所でも認識しやすくしたい場合に配設されるもので、必須ではない。
【００９９】
＜本発明の作用について＞
分電盤Ｄのピークカット制御装置ＰＣの警報音およびピークカット制御動作は、設定値に対する使用電流量ごとに表１のとおりである。
【０１００】
［表１］
使用電流量（％）      警報音の有無およびその態様    ピークカット制御動作
１００％以下                  発生しない                  なし
１００％超１１０％以下        ５分間隔で３０分間          なし
１１０％超１２０％以下        １０秒間で繰り返し          ６０秒以内で動作
１２０％超１４０％以下        ５秒間で繰り返              ２０秒以内で動作
１４０％超                    発生しない                  ５秒以内で動作
なお、警報音の内容は、「ピッピッピッ電気を使いすぎています」という合成音声である。
【０１０１】
また、復帰動作は、定格電流に対して設定されている復帰電流値以下の状態が５分間継続すると、ピークカット制御された優先順位末尾の負荷機器が復帰する。その後も復帰電流値以下の場合に、約１５秒間隔で順次復帰していく。
【０１０２】
定格電流の設定および負荷機器の優先順位の設定を行うには、音声ガイドにしたがって操作部ＯＰを操作するだけでよい。また、「確認」の押しボタンを操作するだけで、設定条件を音声によって知らせるように構成されている。
【０１０３】
そうして、警報音は、ピークカット制御装置ＰＣの放音部ＶＲから分電盤Ｄの設置場所から拡声される。これと同時に、警報音信号は、第１の伝送路ＳＬ１および共通伝送路ＳＬＧによって伝送されてインターホン親機ＩＰのハンドセットＩＰｂのスピーカから拡声される。
【０１０４】
次に、ドアホン子機ＩＤから呼出があると、インターホン親機ＩＰのハンドセットＩＰｂおよび副親機ＩＳのハンドセットから呼出音が発生する。さらにこれと同時に、呼出音信号は、第２の伝送路ＳＬ２および共通伝送路ＳＬＧによって伝送されてピークカット制御装置ＰＣのスピーカＳＰから拡声される。
【０１０５】
図８は、本発明の負荷制御システムの第２の実施形態を示す回路ブロック図である。
【０１０６】
図において、図１と同一部分については同一符号を付して説明を省略する。
【０１０７】
本実施形態は、ピークカット制御装置ＰＣの警報音をインターホン親機ＩＰおよび副親機ＩＳでも拡声するように構成した点で異なる。
【０１０８】
すなわち、伝送路をＳＬ１および共通線ＳＬＧのみとしてピークカット制御装置ＰＣの警報音信号を伝送路ＳＬ１および共通線ＳＬＧによってインターホン親機ＩＰに伝送する構成を備えている。
【０１０９】
また、ピークカット制御装置ＰＣの電力増幅器ＰＡの電源の印加を、デマンド制御部ＤＣから警報音信号が送出されたときに行い、またインターホン親機ＩＰの呼出用増幅器ＣＡの電源印加を、外部呼出信号検出回路ＯＣＤを設けて、警報音信号が伝送されたときに行うように構成して、雑音に影響されにくくしている。
【０１１０】
図９は、本発明の負荷制御システムの第３の実施形態を示す回路ブロック図である。
【０１１１】
図において、図１と同一部分については同一符号を付して説明は省略する。
【０１１２】
本実施形態は、インターホンの呼出音を分電盤Ｄのピークカット制御装置ＰＣでも拡声するように構成した点で異なる。
【０１１３】
すなわち、伝送路をＳＬ２および共通線ＳＬＧのみとしてインターホン親機ＩＰを経由した呼出音信号を伝送路ＳＬ２および共通線ＳＬＧによって分電盤Ｄのピークカット制御装置ＰＣに伝送して拡声する構成を備えている。
【０１１４】
また、伝送路ＳＬ２および共通線ＳＬＧからの呼出音信号の到来を外部呼出信号検出回路ＣＳＤを配設することにより検出して、その検出信号をデマンド制御部ＤＣに送出し、デマンド制御部ＤＣから電力増幅器ＰＡの電源の印加を制御することによって、雑音に影響されにくくしている。
【０１１５】
【発明の効果】
請求項１の発明によれば、主幹ブレーカ、主幹ブレーカの負荷側に並列接続された複数の分岐ブレーカ、ならびに主幹ブレーカに所定以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含むピークカット制御装置を備えた分電盤と、呼出音を発生する呼出音発生手段を備えたインターホンとを具備し、ピークカット制御装置の警報音をインターホンの呼出音発生手段からも発生するとともに、インターホンの呼出音をピークカット制御装置の警報音発生手段からも発生するように構成したことにより、外部接続スピーカを付加することなく、分電盤を設置している場所だけでなく、より多くの時間居る場所でもピークカット制御装置からの警報音を認識できるとともに、増設呼出スピーカを付加することなく分電盤を設置しているキッチンや洗面所などに居てもインターホンの呼出音を認識できる負荷制御システムを提供することができる。
【０１１６】
請求項２の発明によれば、主幹ブレーカ、主幹ブレーカの負荷側に並列接続された複数の分岐ブレーカ、ならびに主幹ブレーカに所定以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含むピークカット制御装置を備えた分電盤と、呼出音を発生する呼出音発生手段を備えたインターホンとを具備し、ピークカット制御装置の警報音をインターホンの呼出音発生手段からも発生するように構成したことにより、外部接続スピーカを付加することなく、分電盤を設置している場所だけでなく、より多くの時間居る場所でもピークカット制御装置からの警報音を認識できる負荷制御システムを提供することができる。
【０１１７】
請求項３の発明によれば、主幹ブレーカ、主幹ブレーカの負荷側に並列接続された複数の分岐ブレーカ、ならびに主幹ブレーカに所定以上の電流が流れたときに分岐ブレーカを経由して主幹ブレーカに並列接続された複数の負荷機器のうち所定の負荷機器を所定の優先順位にしたがって開放するように制御するとともに、主幹ブレーカに流れる電流の状態および／または負荷機器への通電の状態を示す警報音を発生する警報音発生手段を含むピークカット制御装置を備えた分電盤と、呼出音を発生する呼出音発生手段を備えたインターホンとを具備し、インターホンの呼出音をピークカット制御装置の警報音発生手段からも発生するように構成したことにより、増設呼出スピーカを付加することなく分電盤を設置しているキッチンや洗面所などに居てもインターホンの呼出音を認識できる負荷制御システムを提供することができる。
【０１１８】
請求項４の発明によれば、主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含む制御装置を備えた分電盤と、呼出音を発生する呼出音発生手段を備えたインターホンとを具備し、制御装置の警報音をインターホンの呼出音発生手段からも発生するとともに、インターホンの呼出音を警報音発生手段からも発生するように構成したことにより、外部接続スピーカを付加することなしに分電盤を設置している場所だけでなく、より多くの時間居る場所でも制御装置からの警報音を認識できるとともに、増設呼出スピーカを付加することなしに分電盤を設置しているキッチンや洗面所などに居てもインターホンの呼出音を認識できる負荷制御システムを提供することができる。
【０１１９】
請求項５の発明によれば、主幹ブレーカ、主幹ブレーカの負荷側に並列接続された複数の分岐ブレーカ、ならびに主幹ブレーカに流れる電流の状態および／または負荷機器への通電状態を示す警報音を発生する警報音発生手段を含む制御装置を備えた分電盤と、呼出音を発生する呼出音発生手段を備えたインターホンとを具備し、制御装置からの警報音をインターホンの呼出音発生手段からも発生するように構成したことにより、外部接続スピーカを付加することなしに分電盤を設置している場所だけでなく、より多くの時間居る場所でも制御装置からの警報音を認識できる負荷制御システムを提供することができる。
【０１２０】
請求項６の発明によれば、主幹ブレーカ、主幹ブレーカの負荷側に並列接続された複数の分岐ブレーカ、ならびに主幹ブレーカに流れる電流の状態および／または負荷機器への通電の状態を示す警報音を発生する警報音発生手段を含む制御装置を備えた分電盤と、呼出音を発生する呼出音発生手段を備えたインターホンとを具備し、インターホンの呼出音を警報音発生手段からも発生するように構成したことにより、増設呼出スピーカを付加することなしに分電盤を設置しているキッチンや洗面所などに居てもインターホンの呼出音を認識できる負荷制御システムを提供することができる。
【図面の簡単な説明】
【図１】
本発明の負荷制御システムの第１の実施形態において主として分電盤の分電機能を省略して示す回路ブロック図
【図２】
同じく分電盤の配置図
【図３】
同じく分電盤の内部結線図
【図４】
同じくインターホン親機の正面図
【図５】
同じくインターホンの側面図
【図６】
同じくインターホン副親機の正面図
【図７】
同じくインターホン副親機の側面図
【図８】
本発明の負荷制御システムの第２の実施形態において主として分電盤の分電機能を省略して示す回路ブロック図
【図９】
本発明の負荷制御システムの第３の実施形態において主として分電盤の分電機能を省略して示す回路ブロック図
【符号の説明】
ＰＣ…ピークカット制御装置
ＣＴ…電流検出手段
ＣＴ１…第１の電流検出手段
ＣＴ２…第２の電流検出手段
ＣＴＣ…電流検出回路
ＤＣ…デマンド制御部
ｔＨＡ…直接制御端子
ｔＲＹ…リレー端子
ＲＹ…リレー
ＡＧ…警報音発生手段
ＶＳ…音声合成回路
ＭＸ…ミキサー
ＰＡ…電力増幅器
ＳＰ…スピーカ
ｔ１…伝送路接続端子
ｔ２…伝送路接続端子
ｔＧ…伝送路接続端子
ＩＰ…インターホン親機
ＩＰａ…親機本体
ＩＰｂ…ハンドセット
ＤＣＤ…ドアホン呼出検出回路
ＣＳＧ…呼出音発生手段
ＣＧ…呼出音発生回路
ＣＡ…呼出用増幅器
ＤＣＣ…ドアホン通話回路
ＣＣ…通話回路
ＲＣＤ…室内呼出検出回路
ｔＤ…ドアホン子機接続端子
Ｒ…（受話）送り端子
Ｔ…（送話）送り端子
Ｃ…（呼出）送り端子
Ｇ…（共通）送り端子
ＩＳ…副親機
ＩＤ…ドアホン
Ｐ…呼出用押しボタン
ＳＡ…増設呼出スピーカ
ＳＬ１…第１の伝送路
ＳＬ２…第２の伝送路
ＳＫＧ…共通線
ＳＯ…外部接続スピーカ